(57)【要約】【課題】  設定作業の煩雑を緩和することが可能な給水装置の一例を開示する。【解決手段】  給水装置１は、複数の制御部ＣＴＬそれぞれと通信して、送受信ができた制御部ＣＴＬの個数を計数し、その計数値を電動ポンプＰの台数として認識する機能を備える。これにより、当該給水装置１では、設定作業の廃止又は設定作業の煩雑が緩和され得る。【選択図】  図２
2022003233.tif 000002
【特許請求の範囲】
【請求項１】
ポンプ部及びモータ部を有する複数の電動ポンプを備える給水装置において、
複数の前記電動ポンプそれぞれを制御する制御部であって、それら電動ポンプと同数設けられた複数の制御部と、
複数の前記制御部それぞれと通信可能な操作基板であって、複数の前記電動ポンプの台数を認識する台数カウント機能を実行可能な操作基板とを備え、
前記台数カウント機能は、複数の前記制御部それぞれと通信して、送受信ができた前記制御部の個数を計数し、その計数値を前記電動ポンプの台数として認識する機能である給水装置。
【請求項２】
前記操作基板は、電源が投入された時に前記台数カウント機能を実行する請求項１に記載の給水装置。
【請求項３】
前記操作基板には、自動モードを実行させる際に操作されるモード設定部が設けられており、
前記操作基板は、前記モード設定部が操作されて前記自動モードが起動した時に前記台数カウント機能を停止させ、
さらに、前記自動モードは、給水圧力が予め決められた目標圧力となるように前記モータ部を制御する機能を少なくとも有する請求項２に記載の給水装置。
【請求項４】
前記制御部は、前記モータ部を駆動するインバータ回路及び当該インバータ回路を制御するインバータ制御部を有して構成されており、
前記操作基板は、前記台数カウント機能の実行時には、複数の前記インバータ制御部それぞれと通信する請求項１ないし３のいずれか１項に記載の給水装置。
【請求項５】
前記操作基板は、前記台数カウント機能により認識された前記制御部に識別符号を付与する識別符号付与機能を実行可能である請求項１ないし４のいずれか１項に記載の給水装置。
【請求項６】
前記識別符号付与機能では、送受信ができた前記制御部から順次、前記識別符号を付与する請求項５に記載の給水装置。
【請求項７】
前記自動モードとして、第１の自動モード及び第２の自動モードがあり、
さらに、前記電動ポンプの吸引側圧力を検出する吸入圧センサを備え、
前記吸入圧センサの検出圧力が予め決められた基準圧力以上の場合には、前記第１の自動モードが実行可能となり、
前記吸入圧センサの検出圧力が前記基準圧力未満の場合には、前記第２の自動モードが実行可能となる請求項１ないし６のいずれか１項に記載の給水装置。
【請求項８】
前記第１の自動モードは、直結給水方式に適用される運転モードであり、
前記第２の自動モードは、受水槽方式に適用される運転モードである請求項１ないし７いずれか１項に記載の給水装置。
【発明の詳細な説明】
【技術分野】
【０００１】
本開示は、給水装置に関する。
【背景技術】
【０００２】
給水装置は、例えば、特許文献１に記載されているように、ポンプ、電動モータ及び当該電動モータを制御する制御部等を有して構成されている。
【先行技術文献】
【特許文献】
【０００３】
【特許文献１】特開２０１８−１４５６０３号公報
【発明の概要】
【発明が解決しようとする課題】
【０００４】
ポンプ、電動モータ及び制御部それぞれが複数設けられている給水装置では、制御部の製造時に、作業者は、制御基板上に設けられた小型スイッチを、ポンプの台数分に合わせて設定する必要がある。そして、当該設定作業は、煩雑であった。
【０００５】
本開示は、上記点に鑑み、上記の設定作業の煩雑を緩和することが可能な給水装置の一例を開示する。
【課題を解決するための手段】
【０００６】
ポンプ部（Ｐｐ）及びモータ部（Ｐｍ）を有する複数の電動ポンプ（Ｐ）を備える給水装置は、複数の電動ポンプ（Ｐ）それぞれを制御する制御部（ＣＴＬ）であって、それら電動ポンプ（Ｐ）と同数設けられた複数の制御部（ＣＴＬ）と、複数の制御部（ＣＴＬ）それぞれと通信可能な操作基板（１０）であって、複数の電動ポンプ（Ｐ）の台数を認識する台数カウント機能を実行可能な操作基板（１０）とを備え、台数カウント機能は、複数の制御部（ＣＴＬ）それぞれと通信して、送受信ができた制御部（ＣＴＬ）の個数を計数し、その計数値を電動ポンプ（Ｐ）の台数として認識する機能であることが望ましい。
【０００７】
これにより、当該給水装置では、上記の設定作業の廃止又は上記の設定作業の煩雑が緩和され得る。
【０００８】
因みに、上記各括弧内の符号は、後述する実施形態に記載の具体的構成等との対応関係を示す一例であり、本開示は上記括弧内の符号に示された具体的構成等に限定されない。
【図面の簡単な説明】
【０００９】
【図１】第１実施形態に係る給水装置を示す図である。
【図２】第１実施形態に係る給水装置のブロック図である。
【図３】台数カウント機能及び運転モード自動認識機能を実行する際のフローチャートである。
【発明を実施するための形態】
【００１０】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されない。
【００１１】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された給水装置は、少なくとも符号が付されて説明された部材又は部位等の構成要素、並びに図示された構造部位を備える。
【００１２】
（第１実施形態）
＜１．給水装置の概要＞
本実施形態は、例えば、マンションや商業ビル等の建物に適用される給水装置に本開示に係る給水装置の一例が適用されたものである。図１及び図２に示されるように、本実施形態に係る給水装置１は、複数（例えば、３つ）の電動ポンプＰ１〜Ｐ３及び制御部ＣＴＬ１〜ＣＴＬ３、並びに操作基板１０及び電源基板２０等を少なくとも備える。
【００１３】
各電動ポンプＰ１〜Ｐ３は、全て同一構造である。具体的には、各電動ポンプＰ１〜Ｐ３は、図２に示されるように、ポンプ部Ｐｐ及びモータ部Ｐｍを有する電動式のポンプである。以下、電動ポンプＰ１〜Ｐ３のうち任意の電動ポンプを意図する場合は電動ポンプＰと記す。
【００１４】
各電動ポンプＰの吐出し口から吐出された水は、図１に示される連結管２Ａ〜２Ｃを介して合流管３に集合する。合流管３は建物の配水管（図示せず。）に接続される。各電動ポンプＰの吸い込み側は、水道管（図示せず。）に連結されている。
【００１５】
つまり、給水装置１は、水道管から水を吸い込んで配水管に水を供給する。このため、各電動ポンプＰの吸い込み側は水道圧が作用している。なお、以下、「水道管から水を吸い込んで給水する方式」を直結給水方式という。
【００１６】
なお、受水槽等のタンクに蓄えられた水を吸い込んで配水管に水を供給する方式を受水槽方式という。因みに、受水槽方式の給水装置では、電動ポンプＰの吸い込み口と受水槽内の水位との差に相当する圧力が電動ポンプＰの吸い込み側に作用する。
【００１７】
各電動ポンプＰは、図２に示されるように、制御部ＣＴＬ１〜ＣＴＬ３により制御される。具体的には、制御部ＣＴＬ１は電動ポンプＰ１のモータ部Ｐｍを制御する。制御部ＣＴＬ２は電動ポンプＰ２のモータ部Ｐｍを制御する。制御部ＣＴＬ３は電動ポンプＰ３のモータ部Ｐｍを制御する。
【００１８】
制御部ＣＴＬ１〜ＣＴＬ３は、互いに情報を送受信可能である。各制御部ＣＴＬ間の通信方法は不問である。本実施形態に係る各制御部ＣＴＬは、シリアル通信方法にて互いに情報を送受信する。なお、制御部ＣＴＬ１〜ＣＴＬ３は全て同一である。以下、制御部ＣＴＬ１〜ＣＴＬ３のうち任意の制御部を意図する場合は制御部ＣＴＬと記す。
【００１９】
各制御部ＣＴＬは、モータ部Ｐｍを駆動するための駆動回路（本実施形態では、インバータ方式の駆動回路）ＩＣ及び当該駆動回路を制御するインバータ制御部ＥＣ等を少なくとも有する。
【００２０】
そして、本実施形態に係る制御部ＣＴＬ、つまりインバータ制御部ＥＣは、モータ部Ｐｍを駆動する駆動周波数（出力周波数ともいう。）を制御することにより、電動ポンプＰの吐出し流量や吐出し圧力等を制御する。
【００２１】
制御部ＣＴＬ１〜ＣＴＬ３それぞれには、流量センサＦＳ１〜ＦＳ３それぞれの検出値が入力されている。各流量センサＦＳ１〜ＦＳ３は、対応する電動ポンプＰの吐出し流量を検出する。以下、流量センサＦＳ１〜ＦＳ３のうち任意の流量センサを意図する場合は流量センサＦＳと記す。
【００２２】
吐出し圧センサＰＳ１は、給水装置１の吐出し圧力を検出する。吐出し圧センサＰＳ１の検出信号は、各制御部ＣＴＬに送信される。つまり、各制御部ＣＴＬには、通信回線を介して給水装置１の吐出し圧力が入力されている。
【００２３】
操作基板１０は、例えば、各制御部ＣＴＬの制御に必要なパラメータ等を作業者が設定する場合に利用されるものである。このため、操作基板１０は、各制御部ＣＴＬ（具体的には、インバータ制御部ＥＣ）と通信可能である。
【００２４】
電源基板２０は、各制御部ＣＴＬ（具体的には、インバータ制御部ＥＣ）に電力を供給する。なお、各駆動回路ＩＣには、電源基板２０を介すことなく、他の電力供給部（例えば、商用電源）から電力が供給されている。
【００２５】
＜２．各制御部の制御概要＞
制御部ＣＴＬ１〜ＣＴＬ３、つまり、各制御部ＣＴＬの制御回路は、例えば、ＣＰＵ、ＲＯＭ及びＲＡＭ等を有するマイクロコンピュータ等にて構成されている。各制御部ＣＴＬは、ＲＯＭ等の不揮発性記憶部に予め記憶された制御用プログラムに従って駆動回路等を制御する。
【００２６】
各制御部ＣＴＬは、目標圧力制御機能、先発起動機能、増台機能、流量停止機能、及並列運転制御を実行可能である。
【００２７】
＜目標圧力制御機能＞
目標圧力制御機能は、吐出し圧センサＰＳ１により検出された圧力（以下、検出圧力という。）が、予め決められた所定の圧力範囲となるようにポンプＰ、つまりモータ部Ｐｍの回転速度を制御する機能である。
【００２８】
なお、目標圧力制御機能は、モータ部Ｐｍの稼働中においては、制御部ＣＴＬから停止指令がない限り、実行される機能である。つまり、目標圧力制御機能と相反する他の機能が実行されていない限り、モータ部Ｐｍの稼働中は目標圧力制御機能が実行される。
【００２９】
＜先発起動機能＞
先発起動機能は、全ての電動ポンプＰ１〜Ｐ３が停止状態にある場合において、検出圧力が上記圧力範囲の下限値未満となったときに実行される機能の１つである。
【００３０】
具体的には、検出圧力が上記圧力範囲の下限値未満となった時に各制御部ＣＴＬは、最初に起動する電動ポンプＰであることを示す情報（以下、先発フラグという。）が記憶されているか否かを判断する。
【００３１】
先発フラグは、制御部ＣＴＬ１〜ＣＴＬ３のうちいずれか１つ制御部ＣＴＬのみに予め記憶されている。そして、制御部ＣＴＬは、当該情報が記憶されていると判断した場合に、当該制御部ＣＴＬが制御するモータ部Ｐｍを起動する。
【００３２】
このため、先発フラグが記憶されている電動ポンプＰのみが起動し、先発フラグが記憶されていない電動ポンプＰは停止状態を維持する。つまり、最初に給水を開始する電動ポンプＰは１台のみである。
【００３３】
なお、本実施形態では、例えば、操作基板１０に設けられた監視制御部（図示せず。）又は制御部ＣＴＬが、先発フラグをいずれか制御部ＣＴＬに送信する。具体的には、例えば、先発起動機能により電動ポンプＰが起動後、当該起動した電動ポンプＰの制御部ＣＴＬは他の制御部ＣＴＬに先発フラグを送信する。
【００３４】
起動した電動ポンプＰの制御部ＣＴＬが故障した場合には、監視制御部が故障していない他の制御部ＣＴＬに先発フラグを送信する。これにより、最初に起動する電動ポンプＰが、順次、変更される。
【００３５】
＜増台機能＞
増台機能は、現在稼働しているポンプＰの吐出し能力が予め決められた能力に到達したときに実行される機能である。つまり、増台機能は、稼働中の電動ポンプＰの制御部ＣＴＬから停止中の電動ポンプＰの制御部ＣＴＬに給水開始を指令する機能である。
【００３６】
ポンプＰの吐出し能力とは、ポンプＰｐ及びモータ部Ｐｍによって決まる給水能力であって、電動ポンプＰの最大吐出し流量又は最大吐出し圧力等に基づく能力である。本実施形態に係る制御部ＣＴＬは、モータ部Ｐｍの回転速度が予め決められた上限回転速度に到達したときに、吐出し能力が予め決められた能力に到達したと判断する。
【００３７】
例えば、第１の電動ポンプＰ１のみで給水している際に、モータ部Ｐｍの回転速度が予め決められた上限回転速度に到達すると、制御部ＣＴＬ１は、例えば制御部ＣＴＬ２に対して給水開始を指令する。これにより、第２の電動ポンプＰ２からも給水が開始される。
【００３８】
同様に、第１の電動ポンプＰ１及び第２の電動ポンプＰ２のみで給水している際に、モータ部Ｐｍの回転速度が予め決められた上限回転速度に到達すると、制御部ＣＴＬ２は、例えば制御部ＣＴＬ３に対して給水開始を指令する。これにより、第３の電動ポンプＰ３からも給水が開始される。
【００３９】
＜流量停止機能＞
流量停止機能は、吐出し流量、つまり流量センサＦＳの検出流量が予め決められた流量（以下、停止流量という。）以下となったときにモータ部Ｐｍ、つまりポンプＰを停止させる機能である。
【００４０】
本実施形態では、給水装置１の稼働状態に応じて制御部ＣＴＬが予め決められた規則に従って停止流量を決定する。なお、全ての電動ポンプＰが停止し、給水装置１が停止した場合には、アキュムレータ（図示せず。）により給水圧が保持される。
【００４１】
＜３．並列運転制御＞
並列運転制御は、２台以上の電動ポンプＰが稼働しているときに、稼働中の制御部ＣＴＬにて実行される制御である。具体的には、並列運転制御は、増台時制御機能、及び協働目標圧力制御機能等にて構成される。以下の説明では、増台指令を発信した制御部ＣＴＬを発信制御部ＣＴＯとし、増台指令を受信した制御部ＣＴＬを受信制御部ＣＴＲという。
【００４２】
＜３．１  増台時制御機能＞
増台時制御機能は、増台指令を発信した時又は増台指令を受信した時（以下、増台指令時という。）から予め決められた条件（以下、同期開始条件という。）が満たされるまで実行される制御である。
【００４３】
すなわち、増台指令時から同期開始条件が満たされるまで、発信制御部ＣＴＯ及び受信制御部ＣＴＲのうちいずれか一方の制御部ＣＴＬは目標圧力制御機能を実行し続け、他方の制御部ＣＴＬは、目標圧力制御機能を停止させて増台時制御機能を実行する。
【００４４】
本実施形態に係る増台時制御機能は、受信制御部ＣＴＲが予め決められた増速度にてポンプＰの吐出し流量を増大させる制御である。そして、同期開始条件が満たされると、発信制御部ＣＴＯ及び受信制御部ＣＴＲは、協働目標圧力制御機能を実行する。
【００４５】
本実施形態に係る同期開始条件は、増台指令時から予め決められた時間が経過したか否かである。つまり、発信制御部ＣＴＯ及び受信制御部ＣＴＲは、増台指令時から予め決められた時間が経過した時に条件が満たされた判断する。
【００４６】
なお、本実施形態では、増台指令が発信された時から上記時間が経過した時に発信制御部ＣＴＯは同期開始条件が満たされたと判断する。そして、受信制御部ＣＴＲは、同期開始条件が満たされた旨の信号を発信制御部ＣＴＯから受信し時に同期開始条件が満たされたと判断する。
【００４７】
＜３．２  協働目標圧力制御機能＞
協働目標圧力制御機能とは、吐出し圧センサＰＳ１の検出圧力が予め決められた圧力となり、かつ、増台指令の発信元におけるポンプＰの吐出し流量と増台指令の発信先におけるポンプＰの吐出し流量とが等しくなるように協働制御する同期変速運転機能である。
【００４８】
なお、「予め決められた圧力」とは、特定の圧力又は当該特定の圧力を基準として予め決められた所定の圧力範囲をいう。
【００４９】
具体的には、協働目標圧力制御機能が実行されているときには、発信制御部ＣＴＯ及び受信制御部ＣＴＲは、それぞれの出力周波数が同期するように、それぞれのインバータ制御部ＥＣを制御する。
【００５０】
本実施形態に係る協働目標圧力制御では、発信制御部ＣＴＯのインバータ制御部の出力周波数が受信制御部ＣＴＲに送信され、受信側のインバータ制御部は、その受信した出力周波数を駆動周波数として出力する。
【００５１】
なお、第１の電動ポンプＰ１及び第２の電動ポンプＰ２で給水している状態から第３の電動ポンプＰ３からも給水が開始された場合においては、第１の電動ポンプＰ１又は第２の電動ポンプＰ２の制御部ＣＴＬが発信制御部ＣＴＯに相当し、第３の電動ポンプＰ３の制御部ＣＴＬが受信制御部ＣＴＲとなる。
【００５２】
因みに、第１の電動ポンプＰ１及び第２の電動ポンプＰ２で給水している状態では、第１の電動ポンプＰ１の駆動周波数と第２の電動ポンプＰ２の駆動周波数とは同じであるので、いずれの制御部ＣＴＬを発信制御部ＣＴＯとしてもよい。
【００５３】
＜４．操作基板の機能＞
操作基板１０は、ＣＰＵ、ＲＯＭ及びＲＡＭ等を有するマイクロコンピュータで構成されている。そして、本実施形態に係る操作基板１０は、台数カウント機能及び運転モード自動認識機能を実行可能である。
【００５４】
＜台数カウント機能＞
操作基板１０や各制御部ＣＴＬが先発起動機能や増台機能等を実行するには、稼働可能な電動ポンプＰの台数を、少なくとも操作基板１０が把握している必要がある。このため、本実施形態に係る操作基板１０は、複数の電動ポンプＰの台数を認識する台数カウント機能を実行可能である。
【００５５】
台数カウント機能は、複数の制御部ＣＴＬそれぞれと通信して、送受信ができた制御部ＣＴＬの個数を計数し、その計数値を稼働可能な電動ポンプＰの台数として認識する機能である。
【００５６】
つまり、本実施形態に係る台数カウント機能では、複数のインバータ制御部ＥＣそれぞれと通信して、送受信ができたインバータ制御部ＥＣの個数を計数し、その計数値を稼働可能な電動ポンプＰの台数として認識する。
【００５７】
操作基板１０は、電源が投入された時に台数カウント機能を実行開始する。そして、操作基板１０は、自動モードが起動した時に台数カウント機能を停止させる。自動モードでは、目標圧力制御機能、先発起動機能、増台機能、流量停止機能、及並列運転制御等が少なくとも自動実行される。
【００５８】
なお、「電源が投入された時」とは、給水装置１を起動させるため主電源スイッチ（図示せず。）が投入された時をいう。「自動モードが起動した時」とは、モード設定部１１（図２参照）が作業員により操作されて自動モードが選択された時をいう。
【００５９】
モード設定部１１は、操作基板１０に設けられた設定操作部である。作業者は、モード設定部１１を操作することにより、自動モードや停止モード等の運転モードを手動選択することができる。
【００６０】
また、操作基板１０は、台数カウント機能により認識された制御部ＣＴＬに識別符号を付与する識別符号付与機能を実行可能である。当該識別符号付与機能では、送受信ができた制御部ＣＴＬから順次、識別符号が付与される。
【００６１】
なお、本実施に係る識別符号（以下、通信局番という。）は、自然数（番号）である。このため、送受信ができた制御部ＣＴＬから順次、通信局番が大きくなる。したがって、最大の通信局番は、稼働可能な電動ポンプＰの台数と一致する。
【００６２】
＜運転モード自動認識機能＞
運転モード自動認識機能は、直結給水方式に適用される自動モード（以下、第１自動モードという。）と受水槽方式に適用される自動モード（以下、第２自動モードという。）とを自動的に認識する機能である。
【００６３】
操作基板１０には、図２に示されるように、吸込圧センサＰＳ２の検出信号が入力されている。吸込圧センサＰＳ２は、給水装置１の吸入側圧力、つまり各電動ポンプＰの吸引側圧力を検出する。
【００６４】
そして、操作基板１０は、吸入圧センサＰＳ２の検出圧力（以下、吸込圧力という。）が予め決められた基準圧力以上の場合には、各制御部ＣＴＬに対して自動モード時に第１自動モードを実行すべき旨の指令を発信する。
【００６５】
操作基板１０は、吸込圧力が基準圧力未満の場合には、各制御部ＣＴＬに対して自動モード時に第２自動モードを実行すべき旨の指令を発信する。つまり、本実施形態に係る各制御部ＣＴＬ及び操作基板１０は、直結給水方式及び受水槽方式のいずれにも対応可能である。
【００６６】
本実施形態に係る第１自動モードでは、吸込圧力が予め決められた所定圧力以下となった場合に給水を停止する。本実施形態に係る第２自動モードでは、受水槽内の水位が予め決められた水位以下となった場合に給水を停止する。
【００６７】
因みに、本実施形態に係る吸込圧センサＰＳ２は、圧力の大きさに応じた電圧を出力する。したがって、操作基板１０は、上記所定圧力、吸込圧力及び基準圧力を電圧値に置き換えて運転モード自動認識機能を実行する。
【００６８】
＜操作基板の機能の詳細＞
図３は、台数カウント機能及び運転モード自動認識機能を実行する際の制御フローの一例である。当該制御フローを実行するためプログラムは、操作基板１０に設けられたＲＯＭ等の不揮発性記憶部に予め記憶されている。以下の括弧内に記載された「Ｓ１」等は、図３中の符合を示す。
【００６９】
本実施形態に係る操作基板１０及び各制御部ＣＴＬはシリアル通信方式にて通信を行う。そして、当該操作基板１０は、最大６台の電動ポンプＰ、つまり６つの制御部ＣＴＬを接続可能である。このため、操作基板１０は、制御部ＣＴＬと通信するための通信ポート（図示せず。）を６つ備えている。なお、１つの通信ポートには、１つの制御部ＣＴＬが接続される。
【００７０】
給水装置１の主電源スイッチが投入されると、操作基板１０は、通信ポートを通して制御部ＣＴＬとの通信を実行し、送受信ができたか否かを判断する（Ｓ１）。送受信ができた場合には（Ｓ１：ＹＥＳ）、全ての制御部ＣＴＬについての計数を完了したか否かを判断する（Ｓ３）。
【００７１】
なお、操作基板１０は、第１の通信ポート→第２の通信ポート→・・・・→第６の通信ポートの順にＳ１を実行する。そして、全ての通信ポートについてＳ１を実行し終えたときに、操作基板１０は、全ての制御部ＣＴＬについての計数を完了したと判断する。
【００７２】
全ての制御部ＣＴＬについての計数を完了していないと判断された場合には（Ｓ３：ＮＯ）、台数カウンタの値を１だけ増加させる（Ｓ５）。台数カウンタとは、制御部ＣＴＬの台数が記憶される記憶部の一例である。台数カウンタには、初期値として「０」が予め記憶されている。
【００７３】
次に、操作基板１０は、現時の台数カウンタの値を通信局番とするとともに、その通信局番を制御部ＣＴＬに送信した後（Ｓ７）、再び、Ｓ１を実行する。なお、制御部ＣＴＬは、受信した通信局番を記憶する。操作基板１０は、通信局番と通信ポートとの対応関係を記憶する。
【００７４】
Ｓ３にて、全ての制御部ＣＴＬについての計数を完了された判断した場合には（Ｓ３：ＹＥＳ）、操作基板１０は、自動モードが起動されたか否かを判断し（Ｓ１１）、自動モードが起動されたと判断された場合は（Ｓ１１：ＹＥＳ）、操作基板１０は、運転モード自動認識機能を実行する。
【００７５】
すなわち、操作基板１０は、吸込圧力が基準圧力以上であるか否かを判断する（Ｓ１３）。具体的には、操作基板１０は、吸込圧力を示す電圧が基準圧力に相当する電圧以上であるか否かを判断する。
【００７６】
そして、操作基板１０は、吸込圧力が基準圧力以上の場合には（Ｓ１３：ＹＥＳ）、各制御部ＣＴＬに対して第１自動モードにて自動モードを実行すべき旨の指令を発信する（Ｓ１５）。操作基板１０は、吸込圧力が基準圧力未満の場合には（Ｓ１３：ＮＯ）、各制御部ＣＴＬに対して第２自動モードにて自動モードを実行すべき旨の指令を発信する。
【００７７】
＜５．本実施形態に係る給水装置の特徴＞
本実施形態に係る給水装置１では、複数の制御部ＣＴＬそれぞれと通信して、送受信ができた制御部ＣＴＬの個数を計数し、その計数値を電動ポンプＰの台数として認識する機能を備える。これにより、当該給水装置１では、設定作業の廃止又は設定作業の煩雑が緩和され得る。
【００７８】
操作基板１０は、電源が投入された時に台数カウント機能を実行する。これにより、電源投入時に台数カウント機能が自動的に実行されるので、手動にて台数カウント機能を実行する場合に比べて、設定作業の煩雑が緩和され得る。
【００７９】
操作基板１０は、電源投入後、全ての制御部ＣＴＬについての計数を完了したと判断したときに、台数カウント機能を停止させる。これにより、操作基板１０は、電動ポンプＰの台数を確実に認識でき得る。
【００８０】
台数カウント機能では、複数のインバータ制御部ＥＣと通信して電動ポンプＰの台数を認識する。これにより、操作基板１０は、各制御部ＣＴＬが備える通信機能を利用して稼働可能な電動ポンプＰの台数を認識でき得るので、台数カウント機能を実現するための通信機能が不要となり得る。
【００８１】
操作基板１０は、運転モード自動認識機能を実行可能である。これにより、当該給水装置１では、直結給水方式と受水槽方式との識別設定作業が不要となり得る。
【００８２】
（その他の実施形態）
上述の実施形態に係る各制御部ＣＴＬ及び操作基板１０は、直結給水方式及び受水槽方式のいずれにも対応可能である。このため、受水槽の水位を検出するために、アナログ電圧入力の電極検出回路が設けられている。
【００８３】
そこで、逆流防止装置の排水口下部に一対の電極を取り付けるとともに、受水槽の水位を検出する閾値より、漏水の有無を検出する閾値にパラメータ変更することにより、漏水検出可能としてもよい。これにより、漏水電極の追加のみで、逆流防止装置の排水検出機能を付加することが可能となる。
【００８４】
因みに、従来の直結給水装置においては、逆流防止装置の漏水検出機能については、オプション製品として、逆流防止装置の排水口下部に一対の電極を取り付けるとともに、制御盤本体より電源供給を受けた漏水検出専用の検出器を追加しており、高価なものとなっていた。
【００８５】
上述の実施形態では、電源が投入された時に自動的に台数カウント機能が実行される構成であった。しかし、本開示はこれに限定されない。すなわち、当該開示は、例えば、作業員が操作した時に台数カウント機能が実行される構成であってもよい。
【００８６】
上述の実施形態では、運転モード自動認識機能を実行可能であった。しかし、本開示はこれに限定されない。すなわち、当該開示は、例えば、運転モード自動認識機能が廃止された構成であってもよい。
【００８７】
上述の実施形態では、識別符号付与機能を実行可能であった。しかし、本開示はこれに限定されない。すなわち、当該開示は、例えば、識別符号付与機能が廃止された構成であってもよい。
【００８８】
上述の実施形態に係る識別符号付与機能では、送受信ができた制御部ＣＴＬから順次、前記識別符号を付与した。しかし、本開示はこれに限定されない。すなわち、当該開示は、例えば、制御部ＣＴＬに識別符号を付与することなく、通信ポートに識別符号を付与してもよい。
【００８９】
上述の実施形態では、台数カウント機能及び運転モード自動認識機能自動モードが起動されたか否かを判断した（Ｓ１１）。しかし、本開示はこれに限定されない。すなわち、当該開示は、例えば、Ｓ１１が廃止された構成であってもよい。
【００９０】
つまり、（１）台数カウント機能及び運転モード自動認識機能が終了するまでモード設定部１１にて操作を受け付けない、若しくは自動モードが起動しない構成、（２）台数カウント機能及び運転モード自動認識機能が終了していない旨を作業者に報知する機能を備えた構成、又は（３）電源投入後、台数カウント機能及び運転モード自動認識機能が終了した後、自動的に停止モードから自動モードに移行する構成であってもよい。
【００９１】
さらに、本開示は、上述の実施形態に記載された開示の趣旨に合致するものであればよく、上述の実施形態に限定されない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成であってもよい。
【符号の説明】
【００９２】
１… 給水装置
１０… 操作基板
１１… モード設定部
２０… 電源基板
Ｐ１〜Ｐ３… 電動ポンプ
ＣＴＬ１〜ＣＴＬ３… 制御部
【図１】
2022003233.tif 000003
【図２】
2022003233.tif 000004
【図３】
2022003233.tif 000005